(57)【要約】【課題】安全保護機能を有し、紙幣スタッカ内の紙幣が取り出されるのを防ぐことができる紙幣投入機の紙幣スタッカを提供する。【解決手段】  紙幣スタッカ１内に開閉装置２と駆動装置３などが収容されることによって構成されており、紙幣スタッカ１は中空であり、紙幣スタッカ１の一側には駆動装置３が設置されており、紙幣スタッカ１の紙幣押圧口１１部分には開閉装置２が設けられており、駆動装置３によって開閉装置２に紙幣押圧口１１部分において開閉動作を行わせることによって、紙幣スタッカ１は安全保護機能を有することができ、紙幣スタッカ１内の紙幣が取り出されるのを防ぐことができる。【選択図】  図１
0003108065.tif 000002
【実用新案登録請求の範囲】
【請求項１】
紙幣投入機の紙幣スタッカであり、紙幣スタッカ内に開閉装置と駆動装置とを収容しており、紙幣スタッカは中空であり、
前記紙幣スタッカの紙幣押圧口には開閉装置が設けられており、紙幣スタッカの一側には開閉装置を作動させて紙幣押圧口部分において対応する開閉状態を形成する駆動装置が設けられていることを特徴とする紙幣投入機の紙幣スタッカ。
【請求項２】
前記開閉装置は伝動部と、伝動部によって対応した開閉動作を行う複数のストッパー片とを有しており、伝動部は紙幣スタッカの左右両側に設置されており、ストッパー片は伝動部上の紙幣スタッカの紙幣押圧口部分に可動接続されていることを特徴とする請求項１に記載の紙幣投入機の紙幣スタッカ。
【請求項３】
前記伝動部内は駆動歯車と駆動歯車によって作動する歯車セットを有しており、二つの伝動部間には駆動歯車を回動させることができる伝動軸が接続されていることを特徴とする請求項２に記載の紙幣投入機の紙幣スタッカ。
【請求項４】
前記駆動装置にはモーターが設けられており、モーターの一側には円筒ウォームが設けられており、円筒ウォームの他側はホイールと接続されていることを特徴とする請求項１に記載の紙幣投入機の紙幣スタッカ。
【考案の詳細な説明】
【技術分野】
【０００１】
本考案は紙幣投入機の紙幣スタッカに係り、特に紙幣スタッカ内に開閉装置が設置されており、開閉装置が紙幣スタッカの紙幣押圧口部分において開閉動作を行うことによって紙幣スタッカは安全保護機能を有することができ、紙幣スタッカ内の紙幣が取り出されるのを防ぐことができる紙幣投入機の紙幣スタッカに関わる。
【背景技術】
【０００２】
現在、科学技術は発達しており、多くの公共の場所では現代人が重視している利便性や迅速性を考慮して至る所に自動販売機（カード販売機、切符販売機、両替機など）が設置されており、自動販売機によって大幅に人件費を節約できるだけではなく、その利便性は現代人が大いに享受していることなのであるが、一般に自動販売機を設置した後、作業人員が定期的に補充を行う時間以外は監視する人間はおらず、よって誰も監視していない時間に各種の方法による内部の紙幣の盗難が容易に行われ、現在大部分の自動販売機、両替機は集中して設置されており、多くの人の利用に便利になっており、作業人員が紙幣スタッカを交換する時、その紙幣スタッカには安全保護機能が設けられていないために、容易に作業人員にその紙幣を盗む機会を与えてしまい、故に、如何に紙幣スタッカに安全保護機能を備えさせ、紙幣スタッカの紙幣が盗難されないようにするかは非常に重要な問題であり、本考案の考案者は長年両替機、紙幣投入機などに関連する設計、研究開発、発明などを多く行い、民国９１年（２００２年）３月８日に紙幣スタッカの補強構造の実用新案請求を行い、その結果、民国９２年（２００３年）５月２１日公報に公告号第５３４４０１として公告された。
【０００３】
図７、８は公知構造の紙幣投入機の立体分解図と側面断面図であり、図から分かるように、前述の紙幣投入機は主に主体Ａと側部に固定されている紙幣スタッカＢによって構成されており、主体Ａは紙幣を紙幣スタッカＢ内に押入れることができ、紙幣スタッカＢの一端には使用者が開閉を行うことができる板部Ｂ１が枢設されており、紙幣スタッカＢの内壁面は弾性部品Ｂ２が固定されており、この弾性部品Ｂ２の末端は紙幣押圧板Ｂ３上に固定されており、押圧版Ｂ３は紙幣スタッカＢ内において位置が移動できる状態になっている。
【０００４】
前述の主体Ａと紙幣スタッカＢの固定に関しては、紙幣スタッカＢの数個の凸塊Ｂ４を主体Ａの対応する逆Ｌ形の軌道溝Ａ１内に押入れ、さらに滑動体Ｂ５を対応する主体Ａの掛止孔Ａ２内に押入れることにより、紙幣スタッカＢと主体Ａが定位される。前述の紙幣スタッカＢを主体Ａから外したい時は、滑動体Ｂ５を主体Ａの対応する掛止孔Ａ２内から外し、同時に紙幣スタッカＢを外側に向かって押し、凸塊Ｂ４を主体の対応する逆Ｌ形の軌道溝Ａ１内から外すことにより紙幣スタッカＢを取り外すことができるが、上述の紙幣投入機の紙幣スタッカＢには盗難防止設備が設けられておらず、容易に以下のような欠点が発生する。
【０００５】
１  紙幣が主体Ａから紙幣スタッカＢ内に進入する時、紙幣スタッカＢには如何なる盗難防止装置も設けられていないので、容易に紙幣を盗み取ろうとする者が紙幣にワイヤーやテープなどを貼り、その紙幣を紙幣スタッカＢに入れたり出したりして繰り返し使用し、それによって紙幣投入機の正常な運転が破壊されてしまう。
【０００６】
２  紙幣スタッカＢと主体Ａを分離した後、紙幣スタッカＢ内には如何なる安全装置もないので、容易に紙幣スタッカＢ内の紙幣が盗まれてしまい、紙幣の安全は保障されない。
【０００７】
上述の紙幣投入機は安全保護機能が完全でなく、更なる改良が必要であり、上述の欠点は本考案の考案者やこの業種に従事する業者が研究改良を行いたかったことであった。
【０００８】
本考案の考案者は上述の欠点を鑑み、それに関する資料を収集し、多方面からの思考やこの業種に長年従事した経験と、幾度もの試作や改良によってついに本考案の紙幣投入機の紙幣スタッカを設計した。
【考案の開示】
【考案が解決しようとする課題】
【０００９】
本考案の主な目的は、紙幣スタッカ内に開閉装置が設置されており、開閉装置のストッパー片が紙幣スタッカの紙幣押圧口部分において開閉動作を行うことにより、紙幣を盗み取ろうとする者が紙幣にワイヤーやテープを貼り、その紙幣を紙幣スタッカから引き出し、それによって紙幣が紙幣スタッカから盗難されるのを防ぐことができる紙幣投入機の紙幣スタッカを提供することである。
【００１０】
本考案の次の目的は、紙幣スタッカを紙幣投入機から取り外す時、開閉装置のストッパー片による保護を受け、それにより紙幣スタッカに収容された紙幣が盗まれない紙幣投入機の紙幣スタッカを提供することである。
【００１１】
本考案のさらにもう１つの目的は、紙幣投入機への電力供給が止まった時や開閉装置のモーターが故障した時、開閉装置に設置されているホイールを指で同じ方向に回転させることによりストッパー片を完全に閉じることができ、故障に対応することができる紙幣投入機の紙幣スタッカを提供することである。
【課題を解決するための手段】
【００１２】
前記課題を解決するために、  
請求項１の考案は、紙幣投入機の紙幣スタッカであり、紙幣スタッカ内に開閉装置と駆動装置とを収容しており、紙幣スタッカは中空であり、
前記紙幣スタッカの紙幣押圧口には開閉装置が設けられており、紙幣スタッカの一側には開閉装置を作動させて紙幣押圧口部分において対応する開閉状態を形成する駆動装置が設けられていることを特徴とする紙幣投入機の紙幣スタッカである。
【００１３】
請求項２の考案は、前記開閉装置は伝動部と、伝動部によって対応した開閉動作を行う複数のストッパー片とを有しており、伝動部は紙幣スタッカの左右両側に設置されており、ストッパー片は伝動部上の紙幣スタッカの紙幣押圧口部分に可動接続されていることを特徴とする請求項１に記載の紙幣投入機の紙幣スタッカである。
【００１４】
請求項３の考案は、前記伝動部内は駆動歯車と駆動歯車によって作動する歯車セットを有しており、二つの伝動部間には駆動歯車を回動させることができる伝動軸が接続されていることを特徴とする請求項２に記載の紙幣投入機の紙幣スタッカである。
【００１５】
請求項４の考案は、前記駆動装置にはモーターが設けられており、モーターの一側には円筒ウォームが設けられており、円筒ウォームの他側はホイールと接続されていることを特徴とする請求項１に記載の紙幣投入機の紙幣スタッカである。
【考案の効果】
【００１６】
紙幣スタッカ内に開閉装置が設置されており、開閉装置のストッパー片が紙幣スタッカの紙幣押圧口部分において開閉動作を行うことにより、紙幣にワイヤーやテープを貼られて、紙幣が紙幣スタッカから盗難されるのを防ぐことができ、さらに紙幣スタッカを紙幣投入機から取り外す時、開閉装置のストッパー片による保護を受け、それにより紙幣スタッカに収容された紙幣が盗まれることがなく、さらに紙幣投入機への電力供給が止まった時や開閉装置のモーターが故障した時、開閉装置に設置されているホイールを指で同じ方向に回転させることによりストッパー片を完全に閉じることができ、故障に対応することができる紙幣投入機の紙幣スタッカを提供することができた。
【考案を実施するための最良の形態】
【００１７】
図１、２、３、４はそれぞれ本考案の比較的好適な実施例の立体外観図、立体分解図、側面断面図、紙幣投入機に結合する様子を示す立体分解図であり、図から分かるように、本考案の紙幣投入機の紙幣スタッカ１は、紙幣スタッカ１と、紙幣スタッカ１内に収容されている開閉装置２と、駆動装置３とによって構成されており、本考案の主な特徴は下記の通りである。
【００１８】
前述の紙幣スタッカ１は中空であり、紙幣スタッカ１の一側には紙幣が置かれる紙幣押圧口１１が設けられており、紙幣押圧口１１から離れた他側には駆動装置３を収容する収容空間が設けられており、紙幣スタッカ１内には押止板１３を支持するための複数の弾性部品１４が固定されており、押止板１３は弾性部品１４によって紙幣スタッカ１内において上下に移動することができ、紙幣スタッカ１の一側には押圧板１５と押圧板１５に凸設されている掛止凸部１５１が設けられている。
【００１９】
前述の開閉装置２は伝動部２１と、複数のストッパー片２２とによって構成されており、前述の伝動部２１はそれぞれ紙幣スタッカ１の左右両側に設置されており、伝動部２１内は駆動歯車２１１と駆動歯車２１１によって作動する複数の歯車セット２１２を有しており、歯車セット２１２上には扇形に移動することができる押動部２１２１が設けられており、二つの伝動部２１間は駆動歯車２１１を回動させることができる伝動軸２１３が接続されており、伝動軸２１３上には歯車２１４が設けられている。前述の複数のストッパー片２２は伝動部２１上に可動接続されており、紙幣スタッカ１の紙幣押圧口１１部分に位置しており、ストッパー片２２の両端には下向きに滑動部２２１が設けられており、滑動部２２１内は滑動孔２２２を有しており、滑動孔２２２内には歯車セット２１２の押動部２１２１を掛合することができる枢接軸２２３が設けられている。
【００２０】
前述の駆動装置３にはモーター３１が設置されており、モーター３１は紙幣スタッカ１の収容空間１２内に収容されており、モーター３１の一側には伝動部２１の歯車２１４をお互いに歯合する円筒ウォーム３２が設けられており、円筒ウォーム３２の他側はホイール３３と接続されている。
【００２１】
前述の紙幣スタッカ１は紙幣投入機４上に掛合して定位することができ、紙幣投入機４内には紙幣押圧板４１が設けられており、紙幣押圧板４１は紙幣スタッカ１内において弾性移動することができ、紙幣投入機４の一側には紙幣スタッカ１の掛止凸部１５１が掛止される掛止溝４２が設けられている。
【００２２】
上述の部品を組立てる時、先ず弾性部品１４後端を紙幣スタッカ１の内部後壁に固定し、前端を押止板１３上に固定し、押止板１３は紙幣スタッカ１内において上下に移動することができる。開閉装置２の伝動部２１を紙幣スタッカ１の左右両側に設置し、二つの伝動部２１間を伝動軸２１３によって接続し、開閉装置２のストッパー片２２を紙幣押圧口１１部分に設置し、伝動部２１内に設置されている歯車セット２１２の押動部２１２１をストッパー片２２の枢接軸上に掛合する。前述の駆動装置３のモーター３１を紙幣スタッカ１の収容空間１２内に収容し、モーター３１に接続されている円筒ウォーム３２と伝動部２１の歯車２１４をお互いに歯合させ、円筒ウォーム３２が歯車２１４を作動させることによって伝動軸２１３を回動させることができ、伝動軸２１３が伝動部２１を作動させることによってストッパー片２２の紙幣押圧口１１においての開閉動作を行わせることができ、紙幣スタッカ１の掛止凸部１５１を紙幣投入機４の掛止溝内に掛止することによって定位し、以上のようにして本考案が組立てられる。
【００２３】
図２、３、４はそれぞれ本考案の比較的好適な実施例の立体分解図、側面断面図、紙幣投入機上に結合させる様子を示す立体分解図であり、図から分かるように、紙幣スタッカ１は紙幣投入機４上に掛合、定位され、紙幣が設置されている両替機の紙幣投入口に送り込まれた時、感知回路（図なし）がそれを感知し、モーター３１を駆動し、円筒ウォーム３２が歯車２１４を作動させることにより伝動軸２１３を回転させ、伝動軸２１３によって駆動歯車２１１と歯車セット２１２を連動させて回転させ、さらに歯車セット２１２の押動部２１２１が枢接軸２２３を作動させて滑動孔２２２内において横向きへの移動を行わせ、それによってストッパー片２２を開閉することができ、このように紙幣投入機４の紙幣押圧板４１が吸入した紙幣は紙幣押圧口１１部分において下向きに押圧されながら紙幣スタッカ１内に進入し、紙幣スタッカ１内に設置されている押止板１３が弾性部品１４の弾性による押圧を受け、紙幣をストッパー片２２内側において押止し、さらにストッパー片２２を駆動して閉じ、このようにして紙幣を盗み取ろうとする者が紙幣にワイヤーやテープなどを貼り、その紙幣を紙幣スタッカ１内から引き出すのを防ぐことができ、紙幣スタッカ１が安全保護機能を有することができる。
【００２４】
紙幣スタッカ１がいっぱいになった時、モーター３１を作動させてストッパー片２２を完全に閉じることによって、紙幣スタッカ１の押圧板１５を押圧することができ、押圧板１５上の掛止凸部１５１を紙幣投入機４の掛止溝４２から取り外さなければ紙幣スタッカ１を紙幣投入機４から取り外せないので、もしストッパー片２２が完全に閉じられていない場合は紙幣スタッカ１の押圧板１５を押圧することができないので押圧板１５の掛止凸部１５１を紙幣投入機４の掛止溝４２から取り外すことができず、紙幣スタッカ１を紙幣投入機４から取り外すことができない。もしモーター３１が故障したり、ストッパー片２２を閉じる時に電力供給が止まってしまったりした時はホイール３３を指で回転させ、ホイール３３内部は単一方向のベアリング（図なし）になっており、ホイール３３は単一方向のみに回転させることができ、ストッパー片２２を完全に閉じることができ、もしホイール３３を逆の方向に指で回した時はホイール３３が空回転してストッパー片２２を開けることはできず、このようにしてはじめて紙幣スタッカ１を紙幣投入機４上から取り外すことができ、紙幣スタッカ１は故障に対応できる機能を有することができる。
【００２５】
図５は本考案の比較的好適な実施例における使用時の立体外観図であり、図から分かるように、前述の開閉装置２のストッパー片２２は入れられる紙幣の大きさに合わせてその開口部の大きさを調整することができ、紙幣スタッカ１は大きさの異なる紙幣を収容することができる。
【００２６】
図６は本考案のもう１つの比較的好適な実施例における側面断面図であり、図から分かるように、前述のストッパー片２２の滑動部２２１の外側には枢接軸２２３を貫設することができる歯部２２４が設けられており、歯部２２４は伝動部２２３の歯車セット２１２とお互いに歯合しており、モーター３１を駆動した時、歯車セット２１２を作動させることによって歯部２２４を作動させ、往復の移動をさせることができ、枢接軸２２３によってストッパー片２２に紙幣押圧口１１部分において開閉動作を行わせ、上述の目的を達成できるものである。
【００２７】
この他に、本考案の比較的好適な実施例中の伝動部２１はただ駆動装置３を利用することによって伝動部２１にストッパー片２２を作動させてその開閉を行うものであり、伝動部２１内に設置されている駆動歯車２１１と歯車セット２１２はベアリング、ベルト、縄、チェーン、スライドレールなどを使用することができ、この種の簡易な修飾や同等効果の構造の変更は全て本考案の範囲に含まれる。
【００２８】
本考案の主な特徴は、紙幣スタッカ１内に設置した開閉装置２を主要な保護を行わせる重点としている点にあり、駆動装置３によって伝動部２１にストッパー片２２を紙幣押圧口１１部分において開閉動作を行わせ、紙幣スタッカ１に安全保護機能を持たせ、紙幣スタッカ１内に収容された紙幣が取り出されるのを防ぐ目的を達成できるものである。
【００２９】
本考案の紙幣投入機の紙幣スタッカが公知構造を改善できる技術の重点は下記の通りである。
【００３０】
１  紙幣投入機４の紙幣押圧板４１が紙幣を紙幣スタッカ１内に吸入した時、開閉装置のストッパー片２２によって開閉動作を行う機能を有しており、それによって紙幣を盗み取ろうとする者が紙幣にワイヤーやテープなどを貼り、紙幣スタッカ１から紙幣が引き出されるのを防ぐことができ、このように紙幣が盗難されるのを防ぐことができる。
【００３１】
２  紙幣スタッカ１を紙幣投入機４から取り外した後、開閉装置のストッパー片２２が完全に閉じることによる保護を受けることができ、それにより紙幣スタッカ１内に収容された紙幣は取り出されることがない。
【００３２】
３  紙幣投入機への電気供給が止まったり、駆動装置３が故障したりした時、ホイール３３を指で単一方向に回転させることによりストッパー片２２を完全に閉じることができ、それにより紙幣スタッカ１は故障に対応する機能を有することができ、このようにしてはじめて紙幣スタッカ１を紙幣投入機４から取り外すことができる。
【００３３】
上述の詳細な説明は本考案の比較的好適な一実施例についての説明であり、本考案の申請範囲を限定するものではなく、本考案に示す精神を逸脱しない下における同等の変化、修飾、変更は全て本考案の範囲に含まれる。
【００３４】
本考案の紙幣投入機の紙幣スタッカは使用時において、確実にその機能や目的を達成することができるものであり、実用性に優れた考案であり、法に基づき申請を行う。
【図面の簡単な説明】
【００３５】
【図１】本考案の比較的好適な実施例における立体外観図である。
【図２】本考案の比較的好適な実施例における立体分解図である。
【図３】本考案の比較的好適な実施例における側面断面図である。
【図４】本考案を紙幣投入機上に結合させる様子を示す立体分解図である。
【図５】本考案の比較的好適な実施例における使用時の立体外観図である。
【図６】本考案のもう１つの比較的好適な実施例における側面断面図である。
【図７】公知構造の紙幣投入機の立体図である。
【図８】公知構造の紙幣投入機の側面断面図である。
【符号の説明】
【００３６】
１      紙幣スタッカ
１１    紙幣押圧口
１２    収容空間
１３    押止板
１４    弾性部品
１５    押圧板
１５１  掛止凸部
２      開閉装置
２１    伝動部
２１１  駆動歯車
２１２  歯車セット
２１２１押動部
２１３  伝動軸
２１４  歯車
２２    ストッパー片
２２１  滑動部
２２２  滑動孔
２２３  枢接軸
２２４  歯部
３      駆動装置
３１    モーター
３２    円筒ウォーム
３３    ホイール
４      紙幣投入機
４１    紙幣押圧板
４２    掛止溝
Ａ      主体
Ａ１    軌道溝
Ａ２    掛止孔
Ｂ      紙幣スタッカ
Ｂ１    板部
Ｂ２    弾性部品
Ｂ３    紙幣押圧板
Ｂ４    凸塊
Ｂ５    滑動体  
【図１】
0003108065.tif 000003
【図２】
0003108065.tif 000004
【図３】
0003108065.tif 000005
【図４】
0003108065.tif 000006
【図５】
0003108065.tif 000007
【図６】
0003108065.tif 000008
【図７】
0003108065.tif 000009
【図８】
0003108065.tif 000010